(57)【要約】      （修正有）【課題】きれいな切り口を得ながら、使い勝手の良いフィルム切断装置を提供する。【解決手段】フィルムを切断するフィルム切断装置２は、フィルムを長手方向に切断する長手方向切断機構４０を備える。長手方向切断機構４０は、フィルム搬送路Ｒ１に対し直交に配された水平ガイド軸４１と、複数の短ローラ４２と、複数の長手切断具４３とを備える。長手切断具４３は、丸刃及び軸を有する長手切断具４３とを備える。短ローラ４２は、水平ガイド軸４１に対してスライド自在、かつ回動自在となるように水平ガイド軸４１に取り付けられる。短ローラ４２は周溝を有する。周溝の幅及び深さは、長手切断具４３が切断可能位置にある場合において、丸刃が挿入可能となっている。【選択図】図１
0003203271.tif 000002
【実用新案登録請求の範囲】
【請求項１】
フィルムを切断するフィルム切断装置において、
所定方向に離れて並ぶ第１〜２フィルム支持部材と、
前記フィルムを切断するカッターと、を備え、
前記カッターの刃は、前記第１〜２フィルム支持部材の間において前記第１〜２フィルム支持部材から離れた状態で挟まれるとともに、前記フィルムに対して相対的移動をおこなうことを特徴とするフィルム切断装置。
【請求項２】
前記第１〜２フィルム支持部材は、それぞれ等しい径の円柱状に形成され、
前記フィルムは、前記第１〜２フィルム支持部材に巻きかけられながら移動することを特徴とする請求項１記載のフィルム切断装置。
【請求項３】
前記カッターは、
丸刃と、
前記丸刃を回動自在に保持する軸と、を有することを特徴とする請求項２記載のフィルム切断装置。
【請求項４】
帯状のフィルムを切断するフィルム切断装置において、
前記フィルムの搬送を行うニップローラと、
前記ニップローラを駆動する駆動モータと、
前記フィルムを切断するカッター機構と、を備え、
前記カッター機構は、
前記フィルムを長手方向に切断する第１カッターと、
前記フィルムを幅方向に切断する第２カッターと、を有し、
前記第１カッターは、前記ニップローラよりも前記フィルムの移動方向上流側に配され、
前記第２カッターは、前記ニップローラよりも前記フィルムの移動方向下流側に配されることを特徴とするフィルム切断装置。
【請求項５】
帯状のフィルムを切断するフィルム切断装置において、
前記フィルムロールを保持するロール保持機構と、
前記フィルムロールから前記フィルムを送り出すフィルム搬送機構と、
前記フィルムを切断するカッター機構と、を備え、
前記ロール保持機構は、
前記フィルムロールを支持する水平ローラと、
前記水平ローラの上方に配された抑え機構と、
前記水平ローラに支持された前記フィルムロールを抑える抑え状態と、前記状態から退避した状態との間で切替可能な切替機構と、を有することを特徴とするフィルム切断装置。
【考案の詳細な説明】
【技術分野】
【０００１】
本考案は、フィルム切断装置に関する。
【背景技術】
【０００２】
フィルムロールから所望寸法の矩形シートを切り出す技術として、直線状の刃を有するカッターなどを用いた手加工の他、ビク抜きの他、ｘ−ｙプロット型のカッター機構を備える切断装置や、ｘ方向用切断機及びｙ方向用切断機を備えるフィルム切断装置（特許文献１）がある。
【先行技術文献】
【特許文献】
【０００３】
【特許文献１】特開２００７−２６０８１５号公報
【考案の概要】
【考案が解決しようとする課題】
【０００４】
ビク抜きは、所定の抜型を用いるため、手加工に比べ、大量加工に適している。しかしながら、数枚から数十枚といった比較的小ロットの加工の場合には、その都度、抜型を交換する必要が生じるため、作業効率向上のメリットが享受できない。一方、小ロットの場合には、手加工が適しているが、きれいな切り口を得るためには、作業者の熟練を要する。
【０００５】
ｘ−ｙプロット型のカッター機構を備える切断装置においては、手加工と同様に、直線状の刃を有するカッターとカットマットを用いるが、この方法では、カッターの刃やカットマットの傷みが激しい。カッターの刃やカットマットの傷みは、フィルムの切り口に悪影響を与える。したがって、切り口がきれいなフィルムを得るためには、カットマットや刃の交換が余儀なくされる（例えば１０〜２０枚程度）。
【０００６】
また、特許文献１に記載の切断装置は、２つの刃（上刃と下刃）によりフィルムを切断する装置（いわゆるシャーカット方式）が採用されている。しかしながら、この切断方法の場合、１つの切断機構として、２つの刃が必要になることから、結果として、装置の規模が大きくなる傾向にある。また、２つの刃（上刃と下刃）がそれぞれ交換部品となるため、刃の交換の手間が負担となる。
【０００７】
本考案は、かかる事情に鑑み、きれいな切り口を得ながら、使い勝手の良いフィルム切断装置を提供することを目的とする。
【課題を解決するための手段】
【０００８】
本考案は、フィルムを切断するフィルム切断装置において、所定方向に離れて並ぶ第１〜２フィルム支持部材と、前記フィルムを切断するカッターと、を備え、前記カッターの刃は、前記第１〜２フィルム支持部材の間において前記第１〜２フィルム支持部材から離れた状態で挟まれるとともに、前記フィルムに対して相対的移動をおこなうことを特徴とする。
【０００９】
前記第１〜２フィルム支持部材は、それぞれ、等しい径の円柱状に形成され、前記フィルムは、前記第１〜２フィルム支持部材に巻きかけられながら移動することが好ましい。また、前記カッターは、丸刃と、前記丸刃を回動自在に保持する軸とを有することが好ましい。
【００１０】
本考案は、帯状のフィルムを切断するフィルム切断装置において、前記フィルムの搬送を行うニップローラと、前記ニップローラを駆動する駆動モータと、前記フィルムを切断するカッター機構と、を備え、前記カッター機構は、前記フィルムを長手方向に切断する第１カッターと、前記フィルムを幅方向に切断する第２カッターと、を有し、前記第１カッターは、前記ニップローラよりも前記フィルムの移動方向上流側に配され、前記第２カッターは、前記ニップローラよりも前記フィルムの移動方向下流側に配されることを特徴とする。
【００１１】
本考案は、帯状のフィルムを切断するフィルム切断装置において、前記フィルムロールを保持するロール保持機構と、前記フィルムロールから前記フィルムを送り出すフィルム搬送機構と、前記フィルムを切断するカッター機構と、を備え、前記ロール保持機構は、前記フィルムロールを支持する水平ローラと、前記水平ローラの上方に配された抑え機構と、前記水平ローラに支持された前記フィルムロールを抑える抑え状態と、前記状態から退避した状態との間で切替可能な切替機構と、を有することを特徴とする。
【考案の効果】
【００１２】
本考案によれば、きれいな切り口を得ながら、使い勝手の良いフィルム切断装置を提供することができる。
【図面の簡単な説明】
【００１３】
【図１】フィルム切断装置の概要を示す説明図である。
【図２】長手方向切断機構の概要を示す正面図である。
【図３】幅方向切断機構の概要を示す正面図である。
【図４】フィルム転換機構の概要を示す側面図である。
【図５】長手方向切断機構がフィルムを切断する概要を示す平面図である。
【考案を実施するための形態】
【００１４】
図１〜２に示すように、フィルム切断装置２は、フィルムロールＦＲを保持するロール保持機構１０と、フィルムロールＦＲからフィルム搬送先ＦＧに向かうフィルム搬送路Ｒ１にて、フィルムＦの搬送を行うためのニップローラ（フィルム搬送機構）２０と、フィルムロールＦＲから送り出されたフィルムＦの進行方向を調節するクラウンローラ（方向調節機構）３０と、フィルムＦを長手方向に切断する長手方向切断機構４０と、フィルムＦを幅方向に切断する幅方向切断機構５０と、各部位を制御するコントローラ（図示省略）と、を備える。
【００１５】
フィルムロールＦＲは、フィルムがロール状になったものである。フィルムとしては、特に限定されないが、例えば、幅が1525mm、長さが30メートルのPET製ガラスフィルム（厚さ：３０〜２００μm）等がある。
【００１６】
ロール保持機構１０は、フィルムロールＦＲを支持する１組の平行従動ローラ１１、１２と、平行従動ローラ１１、１２によって支持されたフィルムロールＦＲの抑え機構１５とを有する。
【００１７】
１組の平行従動ローラ１１、１２は、水平な姿勢で配される。抑え機構１５は、ガイド棒１５Ｇと、抑え具１５Ｓとを有する。ガイド棒１５Ｇは、平行従動ローラ１１、１２によって支持された状態のフィルムロールＦＲの軸方向両側に配され、１組の平行従動ローラ１１、１２の間から上方へ延びる。抑え具１５Ｓは、ガイド棒１５Ｇが挿入可能な挿入孔１５ＳＸを有する。こうして、抑え具１５Ｓは、挿入孔１５ＳＸによって、ガイド棒１５Ｇに対して着脱自在となる。抑え具１５Ｓは、フィルムロールＦＲの外周に当接可能な湾曲面１５ＳＷを有することが好ましい。抑え具１５Ｓの形成材料は、特に限定されないが、ステンレスなどの金属であることが好ましい。
【００１８】
挿入孔１５ＳＸへガイド棒１５Ｇを挿入すると、抑え具１５Ｓは、抑え具１５Ｓの自重により、平行従動ローラ１１、１２によって支持された状態のフィルムロールＦＲの両端部を上方から抑える。また、ガイド棒１５Ｇは、フィルムロールＦＲの軸方向両側に配される。こうして、抑え機構１５は、抑え具１５Ｓを用いて、フィルムロールＦＲを抑えることができる。
【００１９】
ニップローラ（フィルム搬送機構）２０は、第１ローラ２１と、第１ローラ２１に接する第２ローラ２２と、第１ローラ２１を駆動するステッピングモータ２３と、モータコントローラ２４と、第２ローラ２２を第１ローラ２１に向けて付勢するバネ機構２５と、を備える。モータコントローラ２４は、ステッピングモータ２３を所望の駆動条件で駆動可能である。
【００２０】
クラウンローラ（方向調節機構）３０は、樽型に形成され、長手方向における両端の外径が中央部の外径よりも大きい。ニップローラ２０の駆動によりフィルムロールＦＲからフィルムＦを送り出す際、フィルムロールＦＲ及びニップローラ２０の間に配されたクラウンローラ３０にフィルムFを巻きかけておくと、フィルムFはフィルム搬送路Ｒ１の中心へ向かう。
【００２１】
長手方向切断機構４０は、フィルムＦを長手方向に切断するものであり、フィルム搬送路Ｒ１に対し直交に配された水平ガイド軸４１と、複数の短ローラ４２と、複数の長手切断具４３と、昇降構造４４と、スライド構造４５と、を備える。
【００２２】
長手切断具４３は、丸刃４３ＡＣ及び軸４３ＡＸを有する。丸刃４３ＡＣは、搬送するフィルムＦに当たると、軸４３ＡＸ周りに従動しながら、フィルムＦの切断を行う。
【００２３】
昇降構造４４は、丸刃４３ＡＣがフィルム搬送路Ｒ１上のフィルムＦにあたる位置（切断可能位置）（図３の実線部分）と、切断可能位置から退避した退避位置（図３の二点鎖線部分）との間で、長手切断具４３を移動自在にする。スライド構造４５は、水平ガイド軸４１に対して昇降構造４４をスライド自在にする。
【００２４】
短ローラ４２は、水平ガイド軸４１に対してスライド自在、かつ回動自在となるように水平ガイド軸４１に取り付けられる。短ローラ４２は周溝４２Ｍを有する。周溝４２Ｍの幅及び深さは、長手切断具４３が切断可能位置にある場合において、丸刃４３ＡＣが挿入可能、すなわち丸刃４３ＡＣが短ローラ４２に接触しない程度のものであることが好ましい。例えば、丸刃４３ＡＣの厚みは０．３ｍｍ以上０．５ｍｍ以下であり、丸刃４３ＡＣの径は、例えば、４０ｍｍ以上６０ｍｍ以下である。また、周溝４２Ｍの幅は０．７ｍｍ以上０．９ｍｍ以下であることが好ましい。丸刃４３ＡＣが周溝４２Ｍに進入する深さは、例えば、２．２ｍｍ以上２．５ｍｍ以下である。
【００２５】
幅方向切断機構５０は、フィルムＦの中途部分において幅方向に切断するものであり、フィルム搬送路Ｒ１に対し直交するように配されたフィルム支持構造５１と、幅切断具５２とを備える。
【００２６】
図１及び図４に示すように、幅切断具５２は、丸刃５２ＡＣ及び軸５２ＡＸを有する幅カッター５２Ａと、スライド構造５２Ｓと、幅カッター５２Ａ及びスライド構造５２Ｓを連結する連結機構５２Ｃと、連結機構５２Ｃを昇降可能な昇降構造５２Ｕを有する。
【００２７】
スライド構造５２Ｓは、フィルム搬送方向に直交する方向へ幅カッター５２Ａを移動自在にする。昇降構造５２Ｕは、丸刃５２ＡＣがフィルム搬送路Ｒ１上のフィルムＦにあたる位置（切断可能位置。図１の二点鎖線）と、丸刃５２ＡＣが切断可能位置から退避した退避位置（図１の実線）との間で、連結機構５２Ｃを移動自在にする。幅カッター５２Ａは、前述した長手切断具４３と同様のため、詳細の説明は省略する。なお、丸刃５２ＡＣの厚みは、例えば０．３ｍｍ以上０．５ｍｍ以下であり、丸刃５２ＡＣの径は、例えば、４０ｍｍ以上８０ｍｍ以下である。また、丸刃５２ＡＣが当該間隔５１Ｘに進入する深さは、例えば、２．２ｍｍ以上２．５ｍｍ以下である。
【００２８】
フィルム支持構造５１は、２枚の板を備える。２枚の板は、それぞれ、フィルム搬送方向に直交する向きにおいて、フィルム搬送方向にて間隔５１Ｘをあけて並べられる。当該間隔５１Ｘは、幅カッター５２Ａの丸刃５２ＡＣが通過可能な幅となっている。
【００２９】
幅切断具５２は、さらに、抑え具５２Ｔを有することが好ましい。抑え具５２Ｔは、２枚の板を有する。これらの２枚の板は、フィルム支持構造５１をなす板の上方に配され、当該板に対して正対するように配される。抑え具５２Ｔは、昇降構造５２Ｕによって、連結機構５２Ｃや幅カッター５２Ａとともに昇降する。幅カッター５２Ａが切断可能位置にある場合、間隔５１Ｘの上流側及び間隔５１Ｘの下流側のフィルムＦは、フィルム支持構造５１及び抑え具５２Ｔによって挟持される。一方、幅カッター５２Ａが退避位置にある場合には、抑え具５２Ｔは、フィルム支持構造５１から離れる。
【００３０】
次に、フィルム切断装置２の作用について説明する。
【００３１】
フィルムロールＦＲからフィルムＦの先端を、クラウンローラ（方向調節機構）３０に巻きかけ、かつ、ニップローラ（フィルム搬送機構）２０で挟む。この状態で、モータコントローラ２４は、ステッピングモータ２３を所望の駆動条件で駆動すると、ニップローラ（フィルム搬送機構）２０は、所定の送り速度で、フィルムＦをフィルムロールＦＲから引き出す。
【００３２】
次に、シートとして切り出したい幅となるように丸刃４３ＡＣの位置合わせを行う。その後、丸刃４３ＡＣを切断可能位置へ移動させる。これにより、フィルムＦの長手方向の切断が２か所で行われる。その後、フィルムＦのうち長手方向の切断が行われた部分は、幅方向切断機構５０へ案内される。その後、コントローラは、フィルムＦの先端が幅方向切断機構５０に到達した際、フィルムＦの送りを止めた後、丸刃５２ＡＣを切断可能位置にして、フィルム搬送路Ｒ１を横切るように幅カッター５２Ａを移動させる。これにより、フィルムＦの幅方向の切断が行われる。その後、丸刃５２ＡＣを退避位置にして、フィルム支持構造５１及び抑え具５２ＴによるフィルムＦの抑えを解除する。次に、シートとして切り出したい長さだけ、フィルムＦを送る。切り出したい長さだけ送った後、丸刃５２ＡＣを切断可能位置にして、フィルム搬送路を横切る。こうして、所望の寸法の矩形シートが得られる。
【００３３】
本考案では、ロール保持機構１０とニップローラ（フィルム搬送機構）２０との間に、クラウンローラ（方向調節機構）３０を配しているため、フィルムＦの蛇行などを防ぐ、すなわち、フィルムＦの送り出し方向を高い精度で調節することができる。また、ニップローラ（フィルム搬送機構）２０の駆動装置として、ステッピングモータ２３を採用しているため、高い精度でのフィルム送りが可能となる。
【００３４】
ところで、ニップローラ２０を下流側に、長手切断具４３及び幅カッター５２Ａを配すると、幅カッター５２ＡにおけるフィルムＦの送り精度が低くなってしまう。本考案では、ニップローラ２０の直前に長手切断具４３が、直後に幅カッター５２Ａが配される。このため、長手切断具４３によって切断されたフィルムＦに対する長手方向の送り量の調節を精度良く行うことができる。さらに、フィルム切断装置２全体の省スペース化が可能となる。
【００３５】
また、フィルムロールＦＲの交換をする場合、長手切断具４３によって切断されるも、幅カッター５２Ａによって切断されていない部分Ｘ（図１）は、次回に利用できない。このため、この部分Ｘがフィルムのロスとなる。本考案では、ニップローラ２０の直前に長手切断具４３が、ニップローラ２０の直後に幅カッター５２Ａが配されるため、フィルムロールＦＲの交換時に発生するフィルムのロス量を抑えることができる。    
【００３６】
さらに、ロール保持機構１０は、フィルムロールＦＲの軸芯に対して係合する機構ではなく、フィルムロールＦＲの外周に対し係合する抑え機構１５を採用する。このため、抑え具１５Ｓをガイド棒１５Ｇから外すだけで、フィルムロールＦＲの交換が可能となるため、フィルムロールＦＲの交換作業効率が良い。すなわち、フィルムロールＦＲの軸芯に係合する部品を抜き差しする必要も発生しない。また、軸芯のサイズや形状が異なるフィルムロールＦＲに対しても、同一の部材（抑え具１５Ｓ）により、フィルムロールＦＲの抑えが可能となる。
【００３７】
加えて、長手切断具４３近傍のフィルムは、短ローラ４２の周面に巻きかけられ、切断線上のフィルムは、周溝４２Ｍに位置する。そして、長手切断具４３による切断プロセスにおいて、長手切断具４３は、フィルムに対する相対的移動によって連れ周りしながら、フィルムを切断する。このとき、フィルムの切断は、周溝４２Ｍで行われるため、長手切断具４３は、カットマットのように他の部材に押し当てられることもない。この結果、長手切断具４３の刃の寿命は長くなる。同様に、幅カッター５２Ａ近傍のフィルムは、フィルム支持構造５１及び抑え具５２Ｔによって挟持され、切断線上のフィルムは、間隔５１Ｘに位置する。そして、幅カッター５２Ａによる切断プロセスにおいて、幅カッター５２Ａは、フィルムに対する相対的移動によって連れ周りしながら、フィルムを切断する。このとき、フィルムの切断は、間隔５１Ｘで行われるため、幅カッター５２Ａは、カットマットのように他の部材に押し当てられることもない。この結果、幅カッター５２Ａの刃の寿命は長くなる。すなわち、フィルムの切り口をきれいに保ち、長手切断具４３や幅カッター５２Ａの交換作業を抑えることができる。
【００３８】
また、短ローラ４２と複数の長手切断具４３とを３つずつ利用することで、一度に、フィルムＦの幅方向において２枚取りが可能となる（図５参照）。なお、短ローラ４２と複数の長手切断具４３とは、それぞれ４つ以上利用してもよい。
【００３９】
なお、フィルム切断装置２は、フィルム転換機構８０を備えていてもよい。フィルム転換機構８０は、切り出されたシート状のフィルムＦのカール方向が上向き（図４参照）になるようガイドする機構である。フィルム転換機構８０は、受け板８１と壁板８２とを備える。受け板８１は、フィルム支持構造５１よりも低い位置に配される。壁板８２は、受け板８１と、フィルム支持構造５１との間に設けられる。受け板８１と壁板８２との継ぎ目８１Ｘは、フィルムＦの先端部ＦＳが係合可能な係合部として機能する（図４参照）。フィルムＦの先端部ＦＳが継ぎ目８１Ｘに係合した状態で、幅切断具５２による切断を行うと、先端部ＦＳを継ぎ目８１Ｘに係合させたまま、切断部を前方に持っていくことで、シート状のフィルムＦのカール方向を上向きにすることができる（点線部）。この状態であれば、シート状のフィルムをそのまま巻くことで、ロール状の納品形態にすることができる。
【００４０】
尚、本考案は、上記した実施の形態に限定されるものではなく、本考案の要旨を逸脱しない範囲内において種々変更を加え得ることは勿論である。
【符号の説明】
【００４１】
２     フィルム切断装置
１０   ロール保持機構
１１   平行従動ローラ
１５   抑え機構
１５Ｇ ガイド棒
１５Ｓ 抑え具
１５ＳＷ      湾曲面
１５ＳＸ      挿入孔
２０   ニップローラ
３０   クラウンローラ
４０   長手方向切断機構
４１   水平ガイド軸
４２   短ローラ
４２Ｍ 周溝
４３   長手切断具
４３ＡＣ      丸刃
４３ＡＸ      軸
４４   昇降構造
４５   スライド構造
５０   幅方向切断機構
５１   フィルム支持構造
５１Ｘ 間隔
５２   幅切断具
５２Ａ 幅カッター
５２ＡＣ      丸刃
５２ＡＸ      軸
５２Ｃ 連結機構
５２Ｓ スライド構造
８０   フィルム転換機構
【図１】
0003203271.tif 000003
【図２】
0003203271.tif 000004
【図３】
0003203271.tif 000005
【図４】
0003203271.tif 000006
【図５】
0003203271.tif 000007
【手続補正書】
【提出日】平成28年1月19日(2016.1.19)
【手続補正１】
【補正対象書類名】実用新案登録請求の範囲
【補正対象項目名】全文
【補正方法】変更
【補正の内容】
【実用新案登録請求の範囲】
【請求項１】
フィルムを切断するフィルム切断装置において、
所定方向に離れて並ぶ第１〜２フィルム支持部材と、
前記フィルムを切断するカッターと、を備え、
前記カッターの刃は、前記第１〜２フィルム支持部材の間において前記第１〜２フィルム支持部材から離れた状態で挟まれるとともに、前記フィルムに対して相対的移動をおこなうことを特徴とするフィルム切断装置。
【請求項２】
前記第１〜２フィルム支持部材は、それぞれ等しい径の円柱状に形成され、
前記フィルムは、前記第１〜２フィルム支持部材に巻きかけられながら移動することを特徴とする請求項１記載のフィルム切断装置。
【請求項３】
前記カッターは、
丸刃と、
前記丸刃を回動自在に保持する軸と、を有することを特徴とする請求項２記載のフィルム切断装置。
【請求項４】
帯状のフィルムを切断するフィルム切断装置において、
前記フィルムの搬送を行うニップローラと、
前記ニップローラを駆動する駆動モータと、
前記フィルムを切断するカッター機構と、を備え、
前記カッター機構は、
前記フィルムを長手方向に切断する第１カッターと、
前記フィルムを幅方向に切断する第２カッターと、を有し、
前記第１カッターは、前記ニップローラよりも前記フィルムの移動方向上流側に配され、
前記第２カッターは、前記ニップローラよりも前記フィルムの移動方向下流側に配されることを特徴とするフィルム切断装置。
【請求項５】
帯状のフィルムを切断するフィルム切断装置において、
フィルムロールを保持するロール保持機構と、
前記フィルムロールから前記フィルムを送り出すフィルム搬送機構と、
前記フィルムを切断するカッター機構と、を備え、
前記ロール保持機構は、
前記フィルムロールを支持する水平ローラと、
前記水平ローラの上方に配された抑え機構と、
前記水平ローラに支持された前記フィルムロールを抑える抑え状態と、前記状態から退避した状態との間で切替可能な切替機構と、を有することを特徴とするフィルム切断装置。